(57)【要約】  扉体支持部（１１）を含む支持フレーム（１）と、支持フレーム（１）に回転中心軸回りに回転可能に支持される槽体（２）と、扉体支持部（１１）に回転中心軸回りに回転可能に設けられる扉体（３）と、第１の状態にある場合、扉体（３）と槽体（２）とにそれぞれ接続され、第２の状態にある場合、扉体（３）と槽体（２）とのうちの少なくとも１つから離間されるプッシュプレート（４）と、を含む洗濯機（１００）。【選択図】  図１
2019531177.tif 000002
【特許請求の範囲】
【請求項１】
扉体支持部を含む支持フレームと、
前記支持フレームに回転中心軸回りに回転可能に支持される槽体と、
前記扉体支持部に前記回転中心軸回りに回転可能に設けられ、前記槽体を開放または閉塞するための扉体と、
第１の状態と第２の状態とに切り替わるプッシュプレートであって、前記プッシュプレートは、前記第１の状態にある場合、前記扉体と前記槽体とにそれぞれ接続され、前記槽体と前記扉体を連動して回転させ、前記プッシュプレートが前記第２の状態にある場合、前記プッシュプレートは、前記扉体と前記槽体とのうちの少なくとも１つから離間されるプッシュプレートと、を含む、
ことを特徴とする洗濯機。
【請求項２】
前記扉体と前記扉体支持部とのうちの一方に前記回転中心軸回りの方向に延びるレール溝が設けられ、前記扉体と前記扉体支持部とのうちの他方に前記レール溝に沿ってスライド可能なスライド軸が設けられる、
ことを特徴とする請求項１に記載の洗濯機。
【請求項３】
前記スライド軸に転がり軸受が設けられ、前記転がり軸受は、内輪が前記スライド軸に接続され、外輪が前記レール溝内に可動的に設けられる、
ことを特徴とする請求項２に記載の洗濯機。
【請求項４】
前記扉体支持部には、前記回転中心軸回りの方向に延びるレール溝が設けられ、前記扉体には、前記レール溝に沿ってスライド可能なスライド軸が設けられる、
ことを特徴とする請求項２に記載の洗濯機。
【請求項５】
前記扉体支持部は、
レールカバープレートと、レールプレートと、を含み、
前記レールプレートは、相対位置が固定されるように前記レールカバープレートに重ねて取り付けられ、前記レール溝が前記レールプレートに形成され、
前記スライド軸に転がり軸受が設けられ、前記転がり軸受の内輪が前記スライド軸に接続され、前記転がり軸受の外輪が前記レール溝内に可動的に設けられるとともに、前記扉体支持部に当接され、前記扉体支持部には、前記転がり軸受の内輪と前記レールカバープレートとを隔てるための逃げ溝が設けられる、
ことを特徴とする請求項４に記載の洗濯機。
【請求項６】
前記扉体支持部には、１つまたは間隔を置いて配置された複数の前記レール溝が設けられ、前記スライド軸は、前記レール溝に一対一に対応するように複数含まれる、
ことを特徴とする請求項４に記載の洗濯機。
【請求項７】
前記プッシュプレートは、前記槽体に相対的に固定されるように取り付けられ、前記レール溝は、上下方向に延び、前記プッシュプレートは、前記スライド軸の下方に位置して前記スライド軸を上へプッシュするためのプッシュ部を有し、前記スライド軸が前記レール溝の下端に位置する場合、前記プッシュプレートは、前記第２の状態にある、
ことを特徴とする請求項４に記載の洗濯機。
【請求項８】
前記槽体が下リミット位置に位置する場合、前記回転中心軸と前記プッシュ部とを結ぶ線Ｌ１と、前記回転中心軸と前記レール溝の下端とを結ぶ線Ｌ２との夾角は、０°〜５°の範囲内にある、
ことを特徴とする請求項７に記載の洗濯機。
【請求項９】
前記扉体の左右両側にそれぞれ前記扉体支持部が設けられ、前記扉体の左右両端は、それぞれ対応する前記扉体支持部にスライド可能に接続される、
ことを特徴とする請求項１〜８のいずれかに記載の洗濯機。
【請求項１０】
前記槽体の左右両側にそれぞれ前記プッシュプレートが設けられる、
ことを特徴とする請求項１〜８のいずれかに記載の洗濯機。
【発明の詳細な説明】
【技術分野】
【０００１】
本発明は、家電製品技術分野に関し、特に、洗濯機に関する。
【背景技術】
【０００２】
洗濯機は、７２０°の洗濯が実現されるように、扉体アセンブリが外槽アセンブリと共に同期回動する必要がある。関連技術において、扉体アセンブリ２が槽アセンブリ１に直接に固定され、押しレバー４の作用で、扉体アセンブリと外槽アセンブリとが同期回動することができる。しかしながら、洗濯機が洗濯および脱水する場合、外槽アセンブリの振動や揺れが大きいため、扉体アセンブリとフロントシール扉との衝突が起こる。
【発明の概要】
【発明が解決しようとする課題】
【０００３】
本発明は、関連技術における少なくとも１つの技術的課題をある程度で解決することを目的とする。そのため、本発明の１つの目的は、振動および揺れを低減する洗濯機を提供することである。
【課題を解決するための手段】
【０００４】
本発明の実施例に係る洗濯機は、扉体支持部を含む支持フレームと、前記支持フレームに回転中心軸回りに回転可能に支持される槽体と、前記扉体支持部に前記回転中心軸回りに回転可能に設けられ、前記槽体を開放または閉塞するための扉体と、第１の状態と第２の状態とに切り替わるプッシュプレートであって、前記プッシュプレートは、前記第１の状態にある場合、前記扉体と前記槽体とにそれぞれ接続され、前記槽体と前記扉体を連動して回転させ、前記プッシュプレートが前記第２の状態にある場合、前記プッシュプレートは、前記扉体と前記槽体とのうちの少なくとも１つから離間されるプッシュプレートと、を含む。
【０００５】
本発明の実施例に係る洗濯機は、プッシュプレートが前記第１の状態と前記第２の状態とに切り替わることにより、槽体の振動が扉体に伝達されることを回避することができ、扉体の揺れおよび振動が低減され、ユーザのニーズがよりよく満たされる。
【０００６】
なお、本発明の上記実施例に係る洗濯機は、下記の付加的な技術的特徴をさらに有する。
【０００７】
本発明の一部の実施例によれば、前記扉体と前記扉体支持部とのうちの一方に前記回転中心軸回りの方向に延びるレール溝が設けられ、前記扉体と前記扉体支持部とのうちの他方に前記レール溝に沿ってスライド可能なスライド軸が設けられる。
【０００８】
さらに、前記スライド軸に転がり軸受が設けられ、前記転がり軸受は、内輪が前記スライド軸に接続され、外輪が前記レール溝内に可動的に設けられる。
【０００９】
本発明の一部の実施例において、前記扉体支持部に前記回転中心軸回りの方向に延びるレール溝が設けられ、前記扉体に前記レール溝に沿ってスライド可能なスライド軸が設けられる。
【００１０】
さらに、前記扉体支持部は、レールカバープレートと、レールプレートと、を含み、前記レールプレートは、相対位置が固定されるように前記レールカバープレートに重ねて取り付けられ、前記レール溝が前記レールプレートに形成され、前記スライド軸に転がり軸受が設けられ、前記転がり軸受の内輪が前記スライド軸に接続され、前記転がり軸受の外輪が前記レール溝内に可動的に設けられるとともに、前記扉体支持部に当接され、前記扉体支持部には、前記転がり軸受の内輪と前記レールカバープレートとを隔てるための逃げ溝が設けられる。
【００１１】
本発明の一部の実施例において、前記扉体支持部には、１つまたは間隔を置いて配置された複数の前記レール溝が設けられ、前記スライド軸は、前記レール溝に一対一に対応するように複数含まれる。
【００１２】
本発明の一部の実施例において、前記プッシュプレートは、前記槽体に相対的に固定されるように取り付けられ、前記レール溝は、上下方向に延び、前記プッシュプレートは、前記スライド軸下方に位置して前記スライド軸を上へプッシュするためのプッシュ部を有し、前記スライド軸が前記レール溝の下端に位置する場合、前記プッシュプレートは、前記第２の状態にある。
【００１３】
さらに、前記槽体が下リミット位置に位置する場合、前記回転中心軸と前記プッシュ部とを結ぶ線Ｌ１と、前記回転中心軸と前記レール溝の下端とを結ぶ線Ｌ２との夾角は、０°〜５°の範囲内にある。
【００１４】
本発明の一部の実施例によれば、前記扉体の左右両側にそれぞれ前記扉体支持部が設けられ、前記扉体の左右両端は、それぞれ対応する前記扉体支持部にスライド可能に接続される。
【００１５】
本発明の一部の実施例によれば、前記槽体の左右両側にそれぞれ前記プッシュプレートが設けられる。
【発明の効果】
【００１６】
本発明の付加的な態様および利点は、一部が以下の説明において示され、一部が以下の説明により明らかになり、または本発明の実践により理解される。
【図面の簡単な説明】
【００１７】
本発明の上記および/または付加的な態様および利点は、実施例を図面を参照しながら以下に説明することにより、明らかになり、理解しやすくなる。
【００１８】
【図１】本発明の実施例に係る洗濯機の部分構造概略図である。
【図２】図１の部分を拡大した図である。
【図３】本発明の実施例に係る洗濯機を他の方向から見た部分構造概略図である。
【図４】本発明の実施例に係る洗濯機をさらに他の方向から見た部分構造概略図である。
【図５】図４の部分を拡大した図である。
【図６】本発明の実施例に係る洗濯機の構造概略図である。
【図７】従来技術における洗濯機の１つの部分構造概略図である。
【発明を実施するための形態】
【００１９】
以下、本発明の実施例を詳細に説明する。前記実施例における例が図面に示され、同一または類似する符号は、常に同一または類似する部品、或いは、同一または類似する機能を有する部品を表す。以下に、図面を参照しながら説明される実施例は例示的なものであり、本発明を解釈するためだけに用いられ、本発明を限定するものと理解してはいけない。
【００２０】
以下、図１〜図６を参照して本発明の実施例に係る洗濯機１００を詳細に説明する。
【００２１】
本発明の実施例に係る洗濯機１００は、支持フレーム１と、槽体２と、扉体３と、プッシュプレート４と、を含む。
【００２２】
具体的には、図３、図４および図６を参照すると、支持フレーム１は、扉体支持部１１を含み、扉体支持部１１は、扉体３を支持することができ、槽体２は、支持フレーム１に回転中心軸回りに回転可能に支持され、このように、支持フレーム１によって槽体２を確実に支持することができる。
【００２３】
扉体３は、扉体支持部１１に前記回転中心軸回りに回転可能に設けられ、扉体３は、槽体２を開放または閉塞するためのものである。このように、扉体３を開けることにより、ユーザが槽体２内に洗濯物を入れたり、槽体２内から洗濯済みの衣類を取り出したりしやすくなり、槽体２を閉塞することにより、槽体２内の衣類の洗濯を実現することができる。
【００２４】
プッシュプレート４は、第１の状態と第２の状態とに切り替えることができる。プッシュプレート４が前記第１の状態にある場合、扉体３と槽体２とにそれぞれ接続されて、槽体２と扉体３を連動して回転させる。つまり、プッシュプレート４が前記第１の状態にある場合、プッシュプレート４が扉体３に接続され、かつ、プッシュプレート４が槽体２に接続され、このようにすることで、槽体２と扉体３を連動して回転させ、衣類がよりよく洗濯される。
【００２５】
なお、ここでは、プッシュプレート４が前記第１の状態にある場合、扉体３と槽体２とにそれぞれ接続されることは、機械的に接続されること、または磁石の吸引力によって接続されること等を含む。
【００２６】
プッシュプレート４が前記第２の状態にある場合、プッシュプレート４は、扉体３と槽体２とのうちの少なくとも１つから離間される。換言すれば、プッシュプレート４が前記第２の状態にある場合、プッシュプレート４が扉体３から離間されてもよいし、プッシュプレート４が槽体２から離間されてもよいし、プッシュプレート４が扉体３と槽体２とのそれぞれから離間されてもよい。このようにすることで、洗濯機１００の衣類洗濯中の振動および揺れを低減させ、ユーザのニーズをよりよく満たすことができる。
【００２７】
なお、ここでは、槽体２の回転中心軸と扉体３の回転中心軸とが同一線にあり、このようにすることで、扉体３と槽体２とが前記回転中心軸回りに同期回転することを確保することができる。前記回転中心軸と槽体２の軸線とが垂直であってもよく、前記回転中心軸と槽体２の軸線とが同一面にある。
【００２８】
本発明の実施例に係る洗濯機１００は、プッシュプレート４が前記第１の状態と前記第２の状態とに切り替わることにより、槽体２の振動が扉体３に伝達されることを回避し、扉体３の揺れおよび振動を低減させ、ユーザのニーズをよりよく満たすことができる。
【００２９】
図１、図４および図５を参照すると、本発明の一部の具体的な実施例によれば、扉体３と扉体支持部１１とのうちの一方には、レール溝３１が設けられ、レール溝３１は、前記回転中心軸回りの方向に延びることができ、また、扉体３と扉体支持部１１とのうちの他方には、スライド軸３２が設けられ、スライド軸３２は、レール溝３１に沿ってスライド可能である。このように、スライド軸３２とレール溝３１との協働により、扉体３の扉体支持部１１上での回転を実現することができ、振動の伝達をある程度低減させることができる。
【００３０】
例えば、扉体３には、前記回転中心軸回りの方向に延びるレール溝３１が設けられ、扉体支持部１１には、レール溝３１に沿ってスライド可能なスライド軸３２が設けられてもよいし、扉体支持部１１には、前記回転中心軸回りの方向に延びるレール溝３１が設けられ、扉体３には、レール溝３１に沿ってスライド可能なスライド軸３２が設けられてもよい。スライド軸３２およびレール溝３１の具体的な設置位置や設置方式は、実際のニーズに応じて適宜に設定することができる。  
【００３１】
さらに、スライド軸３２に転がり軸受３２１が設けられ、転がり軸受３２１の内輪がスライド軸３２に接続され、このようにすることで、転がり軸受３２１とスライド軸３２との接続を実現することができ、また、転がり軸受３２１の外輪がレール溝３１内に可動的に設けられる。これにより、転がり軸受３２１を設けることで、スライド軸３２がレール溝３１に沿ってスライドすることを円滑に実現することができる。
【００３２】
本発明の一部の具体的な実施例において、扉体支持部１１にレール溝３１が設けられ、レール溝３１は、前記回転中心軸回りの方向に延び、また、扉体３にスライド軸３２が設けられ、スライド軸３２がレール溝３１に沿ってスライド可能である。これにより、スライド軸３２とレール溝３１との協働によって、扉体３の扉体支持部１１上でのスライドを実現することができ、衣類をよりよく洗濯するために有利な条件を提供する。
【００３３】
さらに、図４および図５を参照すると、扉体支持部１１は、レールカバープレート１１１と、レールプレート１１２と、を含み、レールプレート１１２は、相対位置が固定されるようにレールカバープレート１１１に重ねて取り付けられ、レール溝３１は、レールプレート１１２に形成される。つまり、レールプレート１１２とレールカバープレート１１１とが重ねて配置され、レールプレート１１２とレールカバープレート１１１との相対位置が固定され、レールプレート１１２にレール溝３１が形成される。
【００３４】
ここで、スライド軸３２に転がり軸受３２１が設けられ、転がり軸受３２１の内輪がスライド軸３２に接続され、転がり軸受３２１の外輪がレール溝３１内に可動的に設けられるとともに、扉体支持部１１に当接され、また、扉体支持部１１には、転がり軸受３２１の内輪とレールカバープレート１１１とを隔てるための逃げ溝が設けられる。これにより、扉体３の扉体支持部１１上でのスライドを実現しやすくなる。
【００３５】
ここで、レールカバープレート１１１をレールプレート１１２の内側または外側に重ねて配置することができ、レールカバープレート１１１とレールプレート１１２とをネジ接続の方式で固定することができる。
【００３６】
なお、レール溝３１は、レールカバープレート１１１とレールプレート１１２とによって画定することができ、レール溝３１は、転がり軸受３２１を格納することができる。
【００３７】
図１および図５を参照すると、本発明の一部の具体的な実施例において、扉体支持部１１に１つまたは間隔を置いて配置された複数のレール溝３１を設けることができ、スライド軸３２は、レール溝３１と一対一に対応するように複数含まれる。これにより、扉体３の扉体支持部１１上でのスライドを実現することができ、洗濯機１００の振動および揺れを低減させるために有利な条件を提供する。
【００３８】
具体的には、扉体支持部１１にレール溝３１が１つ設けられてもよく、スライド軸３２は、レール溝３１に対応する。このように、スライド軸３２とレール溝３１との協働により、扉体３の扉体支持部１１上でのスライドを実現することができる。
【００３９】
扉体支持部１１に間隔を置いて配置された複数のレール溝３１が設けられてもよく、スライド軸３２は、レール溝３１に一対一に対応するように複数含まれる。これにより、扉体３の扉体支持部１１上でのスライドの安定性を向上させることができ、振動および揺れの低減に有利である。
【００４０】
ここで、レール溝３１は、上下方向に延びる円弧状の溝であってもよい。
【００４１】
図６および図１を参照すると、本発明の一部の具体的な実施例において、プッシュプレート４は、槽体２に相対的に固定されるように取り付けられ、レール溝３１は、上下方向に延び、プッシュプレート４は、プッシュ部４１を具備し、プッシュ部４１は、スライド軸３２の下方に位置して、上へスライド軸３２をプッシュする。これにより、プッシュプレート４によって、上に向かって運動するようにスライド軸３２をプッシュすることができ、槽体２と扉体３との同期回転を実現することができる。
【００４２】
スライド軸３２がレール溝３１の下端に位置する場合、プッシュプレート４は、前記第２の状態にある。プッシュプレート４が前記第２の状態にある場合、プッシュプレート４は、扉体３と槽体２とのうちの少なくとも１つから離間される。このようにすることで、洗濯機１００の衣類洗濯中の振動を低減させることができる。
【００４３】
さらに、槽体２が下リミット位置に位置する場合、前記回転中心軸とプッシュ部４１とを結ぶ線Ｌ１と、前記回転中心軸とレール溝３１の下端とを結ぶ線Ｌ２との夾角は、０°〜５°の範囲内にある。換言すれば、槽体２が下リミット位置に位置する場合、槽体２の軸線を通し、かつ前記回転中心軸に垂直な平面における前記回転中心軸の投影は、１つの点であり、前記点とプッシュ部４１とを結ぶ線Ｌ１と、前記点とレール溝３１の下端とを結ぶ線Ｌ２との挾角は、０°〜５°の範囲内にある。ここで、プッシュ部４１と、対応するレール溝３１とが槽体２の同一側に位置する。
【００４４】
つまり、槽体２が下リミット位置に位置する場合、プッシュプレート４とスライド軸３２とは、分離され、すなわち、プッシュプレート４は、スライド軸３２に接触しない。この場合、プッシュプレート４は、スライド軸３２の下方に位置し、槽体２が０°〜５°回転した場合、プッシュプレート４は、スライド軸３２に接触し、プッシュプレート４によって、レール溝３１に沿って上に向かってスライドするようにスライド軸３２をプッシュすることができ、槽体２と扉体３とが同期回転するようになる。
【００４５】
ここで、洗濯機１００は、電動プッシュレバー５をさらに含み、槽体２の前記回転中心軸回りの回転は、電動プッシュレバー５によってプッシュすることができる。
【００４６】
前記夾角は、０°、１°、２°、３°、４°、５°などであってもよく、前記夾角は、実際のニーズに応じて適宜に設定することができる。
【００４７】
本発明の一部の具体的な実施例によれば、扉体３の左右両側にそれぞれ扉体支持部１１が設けられ、扉体３の左右両端は、それぞれ対応する扉体支持部１１にスライド可能に接続される。これにより、扉体３が扉体支持部１１に対してより安定的に回転することができ、洗濯機１００の振動および揺れの低減に有利である。
【００４８】
図６を参照すると、本発明の一部の具体的な実施例によれば、槽体２の左右両側にそれぞれプッシュプレート４が設けられる。これにより、左右両側のプッシュプレート４によって、扉体３における対応するスライド軸３２をそれぞれプッシュすることができ、スライド軸３２がレール溝３１に沿ってスライド可能になり、槽体２と扉体３との同期回転が実現される。
【００４９】
ここで、槽体２の左右両側にそれぞれ１つまたは複数のプッシュプレート４が設けられ、例えば、槽体２の片側（例えば、プッシュプレート４の左側または右側）に設けられるプッシュプレート４の数は、１つ、２つ、３つなどであってもよく、このようにすることで、プッシュプレート４によって、回転するように扉体３をよりよくプッシュすることができる。
【００５０】
以下、図面を参照して本発明の洗濯機１００に係る具体的な一実施例を詳細に説明する。
【００５１】
扉体３は、４つのスライド軸３２および４つの転がり軸受３２１を介して、洗濯機の筐体（例えば、支持フレーム１）の左右両側の固定されたレール溝３１で回動し、槽体２に固定される左右両側のプッシュプレート４によって、扉体３をプッシュする。電動プッシュレバー５が、回転するように槽体２をプッシュするとき、左右両側のプッシュプレート４の作用で、槽体２が扉体３と共に回転して洗濯が行われる。
【００５２】
扉体３は、４つのスライド軸３２および４つの転がり軸受３２１を介して左右両側の扉体支持部１１に固定される。扉体３は、扉体支持部１１で円弧状のレール溝３１に沿って上下に回転運動する。
【００５３】
槽体２の左右両側にそれぞれ２つのプッシュプレート４が固定され、電動プッシュレバー５が通電された後、槽体２が回動し始め、槽体２が３°回転した後、左右両側のプッシュプレート４は、扉体３を押し上げて、一緒にレール溝３１に沿って上に向かって回転運動する。槽体２が下に向かって回動する場合、扉体３の自重の作用で、扉体３がレール溝３１に沿って下に向かって回転運動する。レール溝３１の最低点に到達した後、扉体３は、回動を停止し、槽体２は、引き続き下に向かって３°回動した後に停止する。槽体２と扉体３との分離（プッシュプレート４とスライド軸３２との分離を指す）が実現される。
【００５４】
４つのスライド軸３２が扉体３に固定され、４つの転がり軸受３２１がレール溝３１に組み入れられ、レールカバープレート１１１が、転がり軸受３２１の上に押しつけられ、ネジによってレールプレート１１２に締結され、レール溝３１および転がり軸受３２１がネジによってスライド軸３２に締結される。左右両側のプッシュプレート４がネジによって槽体２に固定され、電動プッシュレバー５がネジによって支持フレーム１に固定され、電動プッシュレバー５の可動な一端が槽体２に固定される。
【００５５】
以下、図１〜図６を参照して本発明の実施例に係る洗濯機１００の作動過程を詳細に説明する。
【００５６】
具体的には、７２０°の洗濯を実現するために、槽体２が扉体３と共に前記回転中心軸回りに回転する必要がある。この場合、電動プッシュレバー５は、通電されて、回転するように槽体２をプッシュする。槽体２が３°回転した後、左右両側のプッシュプレート４は、扉体３を押し上げて、一緒にレール溝３１に沿って上に向かって回転運動することができる。槽体２が下に向かって回動する場合、扉体３の自重の作用で、扉体３がレール溝３１に沿って下に向かって回転運動する。レール溝３１の最低点に到達した後、扉体３は、回動を停止し、槽体２は、引き続き下に向かって３°回動した後に停止する。これにより、槽体２と扉体３との分離が実現され、槽体２の振動が扉体３に伝達されることが回避され、扉体３の揺れおよび振動が低減される。
【００５７】
７２０°の洗濯とは、槽体２内の衣類を７２０°洗濯することができることを指す。具体的には、槽体２が槽体２の軸線回りに３６０°回転する場合、槽体２内の衣類は、槽体２と共に３６０°洗濯され、槽体２が前記回転中心軸回りに所定の角度（例えば、４５°）回転する場合、槽体２内の衣類は、槽体２と共に３６０°の回転を完成し、衣類の７２０°の洗濯を実現することができる。槽体２が前記回転中心軸回りに回転する所定の角度は、実際のニーズに応じて適宜に設定することができる。
【００５８】
扉体３は、スライド軸３２とスライド軸受３２１とによってレール溝３１に固定され、特定の軌跡に沿って運動し、槽体２の初期位置は、扉体３から離れており、槽体２が３°回転した後、槽体２の両側のプッシュプレート４が初めて扉体３に接触して、扉体３をプッシュして一緒に回転するようになる。これにより、槽体２の振動が扉体３に伝達されることが回避され、扉体３の揺れおよび振動を低減される。槽体２の前記回転中心軸と扉体３の回転中心軸とが同一線にあり、槽体２が扉体３と共に前記回転中心軸回りに回転して洗濯することを実現する。ここまで、本発明の実施例に係る洗濯機１００の作動過程が完成される。
【００５９】
本明細書の説明において、「一実施例」、「一部の実施例」、「例」、「具体的な例」、或いは「一部の例」などの用語を参照した説明は、該実施例或いは例に合わせて説明された具体的な特徴、構造、材料或いは特性が、本発明の少なくとも１つの実施例或いは例に含まれることを意味する。本明細書において、上記用語に対する例示的な説明は、必ずしも同じ実施例或いは例を指すことではない。また、説明された具体的な特徴、構造、材料或いは特性は、いずれか１つ或いは複数の実施形態または例において適切に結合することができる。なお、互いに矛盾しない限り、当業者は、本明細書に説明された異なる実施例または例、および異なる実施例または例の特徴を結合し、組み合わせることができる。
【００６０】
以上、本発明の実施例を示して説明したが、なお、上記実施例は、例示的なものであり、本発明を限定するものと理解してはいけない。当業者は、本発明の範囲内で上記実施例に対して変更、修正、取り替えおよび変形を行うことができる。
【符号の説明】
【００６１】
１００  洗濯機
１      支持フレーム
１１    扉体支持部
１１１  レールカバープレート
１１２  レールプレート
２      槽体
３      扉体
３１    レール溝
３２    スライド軸
３２１  転がり軸受
４      プッシュプレート
４１    プッシュ部
５      電動プッシュレバー
【図１】
2019531177.tif 000003
【図２】
2019531177.tif 000004
【図３】
2019531177.tif 000005
【図４】
2019531177.tif 000006
【図５】
2019531177.tif 000007
【図６】
2019531177.tif 000008
【図７】
2019531177.tif 000009
【国際調査報告】
2019531177.tif 000010
2019531177.tif 000011
2019531177.tif 000012
2019531177.tif 000013